(57)【要約】【課題】ＳＩＰネットワークの運用方法によって設定を変えることなく、ＳＩＰメッセージの伝送容量を低減することができる信号伝送装置を得ることを目的とする。【解決手段】端末側入力端子１から入力されたＳＩＰメッセージと同一のＳＩＰメッセージが送信メッセージバッファ１１に保存されているか否かを確認するメッセージ比較部１２を設け、メッセージ比較部１２により同一のＳＩＰメッセージが保存されていることが確認され、そのＳＩＰメッセージに対応する確認信号を受信していれば、そのＳＩＰメッセージのメッセージ番号のみからなる簡略メッセージを伝送路側に出力する。【選択図】図１
2007282038.tif 000002
【特許請求の範囲】
【請求項１】
過去に伝送路側に出力された識別情報付の呼制御メッセージを保存するメッセージ保存手段と、伝送路側から上記呼制御メッセージに対応する確認信号を受信する確認信号受信手段と、端末側から呼制御メッセージを受けると、上記呼制御メッセージと同一の呼制御メッセージが上記メッセージ保存手段に保存されているか否かを確認するメッセージ確認手段と、上記メッセージ確認手段により同一の呼制御メッセージが保存されていることが確認されない場合、または、上記確認信号受信手段により上記呼制御メッセージに対応する確認信号が受信されていない場合、上記呼制御メッセージに識別情報を付加して、識別情報付の呼制御メッセージを伝送路側に出力し、上記メッセージ確認手段により同一の呼制御メッセージが保存されていることが確認され、上記確認信号受信手段により上記呼制御メッセージに対応する確認信号が受信されていれば、上記呼制御メッセージの識別情報を伝送路側に出力するメッセージ送信手段とを備えた信号伝送装置。
【請求項２】
伝送路側から識別情報付の呼制御メッセージを受信すると、上記呼制御メッセージに対応する確認信号を伝送路側に出力する確認信号送信手段を設けたことを特徴とする請求項１記載の信号伝送装置。
【請求項３】
伝送路側から識別情報付の呼制御メッセージを受信すると、上記呼制御メッセージを受信メッセージバッファに保存するとともに、上記呼制御メッセージを出力し、伝送路側から識別情報を受信すると、上記受信メッセージバッファから上記識別情報と同じ識別情報が付加されている呼制御メッセージを取得して、上記呼制御メッセージを出力するメッセージ受信手段と、上記メッセージ受信手段から出力された呼制御メッセージに付加されている識別情報を削除して、上記呼制御メッセージを端末側に出力する識別情報削除手段とを設けたことを特徴とする請求項２記載の信号伝送装置。
【請求項４】
端末側から出力された呼制御メッセージを分割して、分割後の呼制御メッセージをメッセージ確認手段及びメッセージ送信手段に出力するメッセージ分割手段と、識別情報削除手段から出力された分割後の呼制御メッセージを組み合わせて、分割前の呼制御メッセージを復元するメッセージ組立手段とを設けたことを特徴とする請求項３記載の信号伝送装置。
【請求項５】
端末側から出力された呼制御メッセージを圧縮して、圧縮後の呼制御メッセージをメッセージ確認手段及びメッセージ送信手段に出力するメッセージ圧縮手段と、識別情報削除手段から出力された圧縮後の呼制御メッセージを伸張して、圧縮前の呼制御メッセージを復元するメッセージ伸張手段とを設けたことを特徴とする請求項３記載の信号伝送装置。
【請求項６】
メッセージ確認手段は、呼制御メッセージがＳＩＰメッセージである場合、メッセージの先頭行、Ｃａｌｌ−ＩＤヘッダ及びＣｓｅｑヘッダの内容を比較して、同一の呼制御メッセージがメッセージ保存手段に保存されているか否かを確認することを特徴とする請求項１から請求項５のうちのいずれか１項記載の信号伝送装置。
【発明の詳細な説明】
【技術分野】
【０００１】
この発明は、対向側の信号伝送装置と呼制御メッセージを送受信する信号伝送装置に関するものである。
【背景技術】
【０００２】
近年のＩＰ（Ｉｎｔｅｒｎｅｔ  Ｐｒｏｔｏｃｏｌ）ネットワークの発展により、電話音声信号やファクシミリ信号をＩＰパケット化して伝送するＶｏＩＰ（Ｖｏｉｃｅ  ｏｖｅｒ  ＩＰ）技術が注目されている。
音声や画像などのマルチメディア通信を行うため、ＶｏＩＰによる電話の呼制御として、セッションの開始や終了を行うプロトコルであるＳＩＰ（Ｓｅｓｓｉｏｎ  Ｉｎｉｔｉａｔｉｏｎ  Ｐｒｏｔｏｃｏｌ）が広く普及している。
【０００３】
図１２はＳＩＰデバイス間のＳＩＰメッセージの通信シーケンス例を示す説明図である。
図１２の例では、ＳＩＰデバイスＡ及びＳＩＰデバイスＢがＩＰ電話端末であり、ＳＩＰデバイスＡがＳＩＰデバイスＢに電話をかけて、両者の間で通話が開始されるまでのシーケンスを示している。
ユーザがＳＩＰデバイスＡを操作して、ＳＩＰデバイスＢの電話番号をダイヤルすると、ＳＩＰデバイスＡが「ＩＮＶＩＴＥ」と呼ばれるＳＩＰメッセージをＳＩＰデバイスＢに送信する。
ＳＩＰデバイスＢがＩＮＶＩＴＥメッセージを受信すると、「１００  Ｔｒｙｉｎｇ」と呼ばれる応答メッセージをＳＩＰデバイスＡに送信する。
「１００  Ｔｒｙｉｎｇ」の応答メッセージは、ＩＮＶＩＴＥのＳＩＰメッセージを受信して、その受信処理を開始したことを「ＩＮＶＩＴＥ」の送信元のＳＩＰデバイスに対して通知するメッセージである。
【０００４】
ＳＩＰデバイスＢは、上記の応答メッセージを送信したのち、引き続いて「１８０  Ｒｉｎｇｉｎｇ」と呼ばれる応答メッセージをＳＩＰデバイスＡに送信する。
「１８０  Ｒｉｎｇｉｎｇ」の応答メッセージは、電話の呼び出し音を鳴らす処理を開始したことを「ＩＮＶＩＴＥ」の送信元のＳＩＰデバイスに通知するメッセージである。
ユーザがＳＩＰデバイスＢの受話器を上げて電話を取ると、ＳＩＰデバイスＢは、「２００  ＯＫ」と呼ばれる応答メッセージをＳＩＰデバイスＡに送信する。
「２００  ＯＫ」の応答メッセージは最終応答と呼ばれ、通話の開始を許可したことを示すメッセージとなる。
【０００５】
ＳＩＰデバイスＡは、「２００  ＯＫ」の応答メッセージを受信すると、ＡＣＫメッセージをＳＩＰデバイスＢに送信する。
これにより、ＳＩＰデバイスＡとＳＩＰデバイスＢ間の通話が開始される。
【０００６】
図１３は「ＩＮＶＩＴＥ」のＳＩＰメッセージの一例を示す説明図である。
ＳＩＰにおいて、通信が行われる端末もしくはサーバとの間で交換されるメッセージはテキストメッセージであり、トランスポート層としてＵＤＰ（Ｕｓｅｒ  Ｄａｔａｇｒａｍ  Ｐｒｏｔｏｃｏｌ）またはＴＣＰ（Ｔｒａｎｓｍｉｓｓｉｏｎ  Ｃｏｎｔｒｏｌ  Ｐｒｏｔｏｃｏｌ）によって伝送される。
現状、ＩＰ電話のＳＩＰ伝送にはＵＤＰが使用される場合が殆どである。
１個のメッセージは、図１３に示す通り、数１００バイトから１０００バイト程度と、比較的大きいデータ量となる。
【０００７】
ＵＤＰには再送制御がないため、ＳＩＰデバイスにはメッセージを再送する機能が備えられている。
例えば、ＳＩＰデバイスが「ＩＮＶＩＴＥ」のＳＩＰメッセージを送信する場合、０．５秒以内に応答メッセージを受信することができない場合、同じＳＩＰメッセージを再送する。
また、同じＳＩＰメッセージを再送してから１秒以内に応答メッセージを受信することができない場合、更に、同じＳＩＰメッセージを再送する。
このように、「ＩＮＶＩＴＥ」のＳＩＰメッセージは、応答メッセージを受信するまでの間、再送する毎に間隔を倍にしながら最大３２秒間再送が行われる（０．５秒、１秒、２秒、４秒、８秒、１６秒の間隔で送信される）。
したがって、ＳＩＰデバイス間の伝送遅延が大きい場合、ＳＩＰメッセージの再送が発生する。
【０００８】
図１４はＳＩＰメッセージの伝送遅延によって「ＩＮＶＩＴＥ」の再送が１回発生している例を示している。
また、図１５は伝送路上でパケット損失が発生し、「ＩＮＶＩＴＥ」が再送される場合の一例を示している。
図１５では、再送メッセージを含めて３個のＳＩＰメッセージが損失し、４回の再送が発生している例を示している。
【０００９】
近年、ＩＰネットワークの広がりは無線通信にまで及んでおり、無線ＶｏＩＰが注目されているが、無線伝送路の帯域は有線に比べて狭い。
したがって、図１３に示すようなデータ量が大きいＳＩＰメッセージを伝送すると、別途パケット化して伝送される音声通話信号のための帯域を圧迫してしまうという問題が発生する。
また、細い伝送回線にデータ量が大きいＳＩＰメッセージを伝送すると、伝送遅延が大きくなる。
したがって、応答メッセージを受けるまでの時間間隔が長くなるためにＳＩＰメッセージの再送が発生して、益々帯域を圧迫してしまう問題が発生する。
このため、ＳＩＰメッセージのようなデータ量が大きいメッセージをそのまま伝送するのではなく、ＳＩＰメッセージを圧縮して伝送する技術が開発されている。
【００１０】
具体的には下記の通りである。
例えば、以下の特許公報１に開示されている信号伝送装置では、ＳＩＰメッセージを圧縮するＬＳＳＣＳ（Ｌｉｇｈｔｗｅｉｇｈｔ  ＳＩＰ／ＳＤＰ  Ｃｏｍｐｒｅｓｓｉｏｎ  Ｓｃｈｅｍｅ）を提案している。
このＬＳＳＣＳの方式では、８ビットのＬＳＳＣヘッダをＳＩＰメッセージに設けており、ＬＳＳＣヘッダの各ビットにおいて、ビット０−６（Ｂ０−Ｂ６）はデータ・ビットであり、ビット７は拡張（Ｅ：Ｅｘｔｅｎｓｉｏｎ）ビットである。
【００１１】
ＬＳＳＣＳヘッダ内のデータ・ビットＢ０−Ｂ６は、ＳＩＰメッセージのフィールドか、ＳＤＰメッセージのフィールドのいずれかを示している。
ＬＳＳＣＳヘッダは、オクテット整列されており（整数個のオクテットを備えている）、拡張ビットＥが“１”に設定される場合、別のＬＳＳＣＳヘッダ・オクテットがそのＬＳＳＣＳヘッダに追加される。拡張ビットＥが“０”のときは、拡張ヘッダは追加されない。
ＳＩＰ／ＳＤＰメッセージは、拡張及びオプション・フィールドを有するので、ＬＳＳＣＳヘッダが全てのあり得るメッセージ・フォーマットをカバーする。
【００１２】
ビットＢ０からＢ６の意味は次の通りである。
ビットＢｎがＳＩＰ／ＳＤＰメッセージ内の特定のフィールドをアドレスし、ＳＩＰ／ＳＤＰメッセージ内の特定のフィールドの存在又は不在を指示すると仮定すると、次の通りである。
Ｂｎ＝１は、対応のＳＩＰ／ＳＤＰフィールドがＳＩＰ／ＳＤＰメッセージ内に存在することを指示し、Ｂｎ＝０は、対応のＳＩＰ／ＳＤＰフィールドが冗長なので、ＳＩＰ／ＳＤＰから取り除かれることを指示する。
この場合、ＬＳＳＣＳを受信する装置は、予め用意してある追加の情報を用いることにより、その取り除かれたフィールドを回復する。
【００１３】
ＬＳＳＣＳは、上記のＬＳＳＣＳヘッダと、上記方式によって低減化されたｒＳＤＰ及びｒＳＩＰから構成される。
ｒＳＤＰ及びｒＳＩＰは、それぞれ低減されたＳＤＰ及びＳＩＰメッセージである。
上記ＳＩＰ／ＳＤＰから取り除かれたメッセージは、異なるネットワーク・エンティティ（例えば、ＳＩＰロケーション・サーバ（ＳＩＰ  ｌｏｃａｔｉｏｎ  ｓｅｒｖｅｒ）、ＤＮＳサーバ、メディア・ゲートウエイ（Ｍｅｄｉａ  Ｇａｔｅｗａｙ）、セキュリティ・サーバ（Ｓｅｃｕｒｉｔｙ  Ｓｅｒｖｅｒ）及びＤＨＣＰサーバ）から、並びに他のプロトコル・エンティティ（例えば、ＵＤＰ／ＩＰ、ＩＰルーティング及び移動性管理）からの情報を用いて生成される。
例えば、ＳＩＰメッセージ内の被呼者／発呼者ＵＲＬは、ＩＰ宛先／送信アドレスから再構成することができる。
【００１４】
【特許文献１】特表２００５−５０６７１７号公報（段落番号［００１３］から［００１６］、［００２６］、及び、［００３５］、図１、図２、図３）
【発明の開示】
【発明が解決しようとする課題】
【００１５】
従来の信号伝送装置は以上のように構成されているので、ＳＩＰメッセージを圧縮して伝送する際、ＬＳＳＣＳヘッダを用いて、削除対象の冗長なフィールドを通知することにより、他のネットワーク・エンティティや他のプロトコル・エンティティからの情報を用いて削除されたフィールドを生成することができる。しかし、このような方式でＳＩＰメッセージを圧縮する場合、ＶｏＩＰネットワークの構成や運用方法によって削除されるフィールドに違いが出る場合があるため、ＳＩＰネットワークの運用方法によって、圧縮・伸張アルゴリズムの設定を変更する必要があるなどの課題があった。
例えば、ＳＩＰメッセージ内の被呼者／発呼者ＵＲＬがＩＰアドレスで表記される場合と、ドメインで表記される場合とがある。この場合、どちらの表記が用いられるかを予め圧縮・伸張アルゴリズムに設定しておく必要がある。また、被呼者／発呼者ＵＲＬには、ユーザ情報として電話番号情報が含まれる場合があるが、電話番号情報はＩＰ宛先／送信アドレスから再構成することができないため、圧縮の対象から除外する必要が生じる。
【００１６】
この発明は上記のような課題を解決するためになされたもので、ＳＩＰネットワークの運用方法によって設定を変えることなく、ＳＩＰメッセージの伝送容量を低減することができる信号伝送装置を得ることを目的とする。
【課題を解決するための手段】
【００１７】
この発明に係る信号伝送装置は、端末側から呼制御メッセージを受けると、その呼制御メッセージと同一の呼制御メッセージがメッセージ保存手段に保存されているか否かを確認するメッセージ確認手段を設け、メッセージ確認手段により同一の呼制御メッセージが保存されていることが確認されない場合、または、確認信号受信手段により呼制御メッセージに対応する確認信号が受信されていない場合、上記呼制御メッセージに識別情報を付加して、識別情報付の呼制御メッセージを伝送路側に出力し、メッセージ確認手段により同一の呼制御メッセージが保存されていることが確認され、確認信号受信手段により上記呼制御メッセージに対応する確認信号が受信されていれば、上記呼制御メッセージの識別情報を伝送路側に出力するようにしたものである。
【発明の効果】
【００１８】
この発明によれば、端末側から呼制御メッセージを受けると、その呼制御メッセージと同一の呼制御メッセージがメッセージ保存手段に保存されているか否かを確認するメッセージ確認手段を設け、メッセージ確認手段により同一の呼制御メッセージが保存されていることが確認されない場合、または、確認信号受信手段により呼制御メッセージに対応する確認信号が受信されていない場合、上記呼制御メッセージに識別情報を付加して、識別情報付の呼制御メッセージを伝送路側に出力し、メッセージ確認手段により同一の呼制御メッセージが保存されていることが確認され、確認信号受信手段により上記呼制御メッセージに対応する確認信号が受信されていれば、上記呼制御メッセージの識別情報を伝送路側に出力するように構成したので、ＳＩＰネットワークの運用方法によって設定を変えることなく、ＳＩＰメッセージの伝送容量を低減することができる効果がある。
【発明を実施するための最良の形態】
【００１９】
実施の形態１．
図１はこの発明の実施の形態１による信号伝送装置を示す構成図であり、図において、端末側はＳＩＰデバイスが接続される側であり、ＳＩＰメッセージ（呼制御メッセージ）が端末側入力端子１及び端末側出力端子２を介してＳＩＰデバイスと入出力される。伝送路側は対向する信号伝送装置（以下、対向装置という）と接続される側であり、ＳＩＰメッセージが伝送路側出力端子３及び伝送路側入力端子４を介して対向装置と入出力される。
【００２０】
送信メッセージバッファ１１は過去に伝送路側に出力されたフルメッセージ（識別情報であるメッセージ番号＋ＳＩＰメッセージ）を一定時間蓄積するメモリである。なお、送信メッセージバッファ１１はメッセージ保存手段を構成している。
メッセージ比較部１２は端末側入力端子１からＳＩＰメッセージが入力されると、そのＳＩＰメッセージが再送メッセージであるか否かを判定するために、そのＳＩＰメッセージと同一のＳＩＰメッセージが送信メッセージバッファ１１に保存されているか否かを確認する。なお、メッセージ比較部１２はメッセージ確認手段を構成している。
確認信号待ちタイマ１３は送信メッセージ制御部１４から起動指令を受けるとタイマを起動し、送信メッセージ制御部１４から停止指令を受ける前にタイムアウトすると、タイムアウトしたＳＩＰメッセージのメッセージ番号を送信メッセージ制御部１４に通知する。
【００２１】
送信メッセージ制御部１４はメッセージ比較部１２により同一のＳＩＰメッセージが保存されていることが確認されない場合、そのＳＩＰメッセージに対して新たなメッセージ番号を割り当てて、新たなメッセージ番号とフルメッセージの送信指令を識別情報付加部１５に出力するとともに、識別情報付加部１５から送信されるフルメッセージの蓄積指令を送信メッセージバッファ１１に出力する。また、送信メッセージ制御部１４は当該ＳＩＰメッセージのメッセージ番号を確認信号待ちタイマ１３に出力して、このメッセージ番号に対するタイマの起動を指示する。
送信メッセージ制御部１４は伝送路側から送信されたＳＩＰメッセージに対する確認信号が伝送路側入力端子４から入力されると、その確認信号を受信して、そのＳＩＰメッセージのメッセージ番号に対するタイマの停止指令を確認信号待ちタイマ１３に出力するが、そのＳＩＰメッセージに対する確認信号を受信する前に、確認信号待ちタイマ１３から当該ＳＩＰメッセージのタイムアウトを示すメッセージ番号を受けると、上記フルメッセージの再送指令を識別情報付加部１５に出力するとともに、このメッセージ番号に対するタイマの再起動を確認信号待ちタイマ１３に指示する。
また、送信メッセージ制御部１４はメッセージ比較部１２により同一のＳＩＰメッセージが保存されていることが確認され、確認信号待ちタイマ１３から当該ＳＩＰメッセージのタイムアウトを示すメッセージ番号を受ける前に、そのＳＩＰメッセージに対する確認信号を受信している場合、そのＳＩＰメッセージのメッセージ番号のみからなる簡略メッセージの送信指令を識別情報付加部１５に出力する。なお、送信メッセージ制御部１４は確認信号受信手段を構成している。
【００２２】
識別情報付加部１５は送信メッセージ制御部１４から新たなメッセージ番号とフルメッセージの送信指令を受けると、端末側入力端子１から入力されたＳＩＰメッセージにメッセージ番号を付加してフルメッセージを作成し、伝送路側出力端子３を介して、そのフルメッセージを伝送路側の対向装置に送信する。また、識別情報付加部１５は送信メッセージ制御部１４からフルメッセージの再送指令を受けると、伝送路側出力端子３を介して、そのフルメッセージを伝送路側の対向装置に送信する。また、送信メッセージ制御部１４から簡略メッセージの送信指令を受けると、伝送路側出力端子３を介して、ＳＩＰメッセージのメッセージ番号のみからなる簡略メッセージを伝送路側の対向装置に送信する。
なお、確認信号待ちタイマ１３、送信メッセージ制御部１４及び識別情報付加部１５からメッセージ送信手段が構成されている。
【００２３】
確認信号生成部１６は伝送路側の対向装置から送信されたフルメッセージが伝送路側入力端子４から入力されると、そのフルメッセージを受信するとともに、そのフルメッセージからメッセージ番号を抜き出して確認信号を生成し、伝送路側出力端子３を介して、その確認信号を伝送路側の対向装置に送信する。なお、確認信号生成部１６は確認信号送信手段を構成している。
【００２４】
受信メッセージバッファ１７は伝送路側の対向装置から送信されたフルメッセージが伝送路側入力端子４から入力されると、そのフルメッセージを蓄積する。
受信データ選択部１８は伝送路側の対向装置から送信されたフルメッセージが伝送路側入力端子４から入力されると、そのフルメッセージを識別情報削除部１９に出力し、伝送路側の対向装置から送信された簡略メッセージが伝送路側入力端子４から入力されると、受信メッセージバッファ１７に蓄積されているフルメッセージの中から、その簡略メッセージを構成しているメッセージ番号と同じメッセージ番号が付加されているフルメッセージを取り出し、そのフルメッセージを識別情報削除部１９に出力する。
なお、受信メッセージバッファ１７及び受信データ選択部１８からメッセージ受信手段が構成されている。
【００２５】
識別情報削除部１９は受信データ選択部１８から出力されたフルメッセージに付加されているメッセージ番号を削除し、端末側出力端子２を介して、メッセージ番号削除後のメッセージを端末側のＳＩＰデバイスに出力する。
なお、識別情報削除部１９は識別情報削除手段を構成している。
【００２６】
図２はこの発明の実施の形態１による信号伝送装置により伝送される独自のメッセージ・フォーマットを示す説明図である。
図２のメッセージは、ＵＤＰより上のレイヤのみを示しており、ＵＤＰ以下のレイヤに関しては、端末側より入力されるデータがそのまま使用されるものとする。
図２の例では、フルメッセージは、端末側より入力されたＳＩＰメッセージに対して１６ビットの識別情報が付加されたものであり、端末側より初めて受信したＳＩＰメッセージは、フルメッセージとして伝送路側に出力される。この識別情報は、ＳＩＰメッセージ毎に固有のメッセージ番号を付与したものである。
【００２７】
簡略メッセージは、識別情報のみに縮退されたメッセージであり、端末側から入力されたＳＩＰメッセージが再送メッセージである場合、基本的には、この簡略メッセージが伝送路側に出力される。
確認信号は、伝送路側からフルメッセージが入力された場合、フルメッセージの送信元の対向装置に対してメッセージが受信されたことを通知するために使用される。
なお、簡略メッセージと確認信号を識別することができるように、簡略メッセージのＭＳＢは“０”、確認信号のＭＳＢは“１”になっている。
フルメッセージの識別情報のＭＳＢは、簡略メッセージと同様に“０”である。
【００２８】
次に動作について説明する。
ここでは、説明の便宜上、端末側入力端子１から入力されるＳＩＰメッセージが再送メッセージではなく、新規のメッセージであるものとする。
メッセージ比較部１２は、端末側入力端子１からＳＩＰメッセージが入力されると、そのＳＩＰメッセージが再送メッセージであるか否かを判定するために、そのＳＩＰメッセージと同一のＳＩＰメッセージを含むフルメッセージが送信メッセージバッファ１１に保存されているか否かを確認する。
即ち、メッセージ比較部１２は、識別情報付加部１５から過去に伝送路側に出力されたフルメッセージについては、送信メッセージバッファ１１に蓄積されているので、端末側入力端子１から入力されたＳＩＰメッセージと同一のＳＩＰメッセージを含むフルメッセージが送信メッセージバッファ１１に保存されているか否かを確認する。
メッセージ比較部１２は、端末側入力端子１から入力されたＳＩＰメッセージと送信メッセージバッファ１１に保存されているＳＩＰメッセージを文字単位に比較し、全ての文字が一致するＳＩＰメッセージが保存されていれば、端末側入力端子１から入力されたＳＩＰメッセージが再送メッセージであると判定する。
【００２９】
送信メッセージ制御部１４は、メッセージ比較部１２により同一のＳＩＰメッセージが保存されていることが確認されない場合、即ち、メッセージ比較部１２が端末側入力端子１から入力されたＳＩＰメッセージが再送メッセージではなく、新規のメッセージであると判定すると、端末側入力端子１から入力されたＳＩＰメッセージに対して新たなメッセージ番号の割当を行う。
そして、送信メッセージ制御部１４は、新たなメッセージ番号とフルメッセージの送信指令を識別情報付加部１５に出力するとともに、識別情報付加部１５から送信されるフルメッセージの蓄積指令を送信メッセージバッファ１１に出力する。
また、送信メッセージ制御部１４は、そのＳＩＰメッセージのメッセージ番号を確認信号待ちタイマ１３に出力して、このメッセージ番号に対するタイマの起動を指示する。
【００３０】
さらに、送信メッセージ制御部１４は、そのＳＩＰメッセージに対応する管理テーブルを生成する。
図３は送信メッセージ制御部１４により生成された管理テーブルを示す説明図であり、管理テーブルは、メッセージ番号、再送待ちメッセージ数、確認信号受信フラグから構成されている。
ここで、再送待ちメッセージ数は、当該ＳＩＰメッセージに対応する確認信号が伝送路側から受信されるまでの間に、当該ＳＩＰメッセージの再送メッセージが端末側から入力された数を示している。
また、確認信号受信フラグは、当該ＳＩＰメッセージに対応する確認信号が伝送路側から受信されたか否かを示している。
なお、送信メッセージ制御部１４は、ＳＩＰメッセージに対応する管理テーブルを生成する際、再送待ちメッセージ数を“０”に設定し、確認信号受信フラグを“０”（“０”は、フラグオフの意味する）に初期設定する。
【００３１】
識別情報付加部１５は、送信メッセージ制御部１４から新たなメッセージ番号とフルメッセージの送信指令を受けると、端末側入力端子１から入力されたＳＩＰメッセージにメッセージ番号を付加してフルメッセージを作成する。
識別情報付加部１５は、フルメッセージを作成すると、そのフルメッセージを送信メッセージバッファ１１に出力するとともに、伝送路側出力端子３を介して、そのフルメッセージを伝送路側の対向装置に送信する。
伝送路側の対向装置は、上記のようにして、識別情報付加部１５から送信されたフルメッセージを受信すると、そのフルメッセージからメッセージ番号を抜き出して確認信号を生成し（図２を参照）、その確認信号を返信する。
【００３２】
確認信号待ちタイマ１３は、送信メッセージ制御部１４からＳＩＰメッセージのメッセージ番号と起動指令を受けると、そのメッセージ番号に対するタイマを起動する。
確認信号待ちタイマ１３は、送信メッセージ制御部１４から停止指令を受ける前にタイムアウトすると、タイムアウトしたＳＩＰメッセージのメッセージ番号を送信メッセージ制御部１４に通知する。
【００３３】
送信メッセージ制御部１４は、伝送路側の対向装置から送信されたフルメッセージに対する確認信号が伝送路側入力端子４から入力されると、その確認信号を受信する。
送信メッセージ制御部１４は、上記の確認信号を受信すれば、管理テーブルの確認信号受信フラグを“１”に設定する。
送信メッセージ制御部１４は、上記の確認信号を受信する前に、確認信号待ちタイマ１３からメッセージ番号を受けておらず（タイマがタイムアウトしていない）、管理テーブルの再送待ちメッセージ数が“０”であれば（端末側入力端子１からＳＩＰメッセージの再送メッセージが入力されていない）、端末側入力端子１から入力されたＳＩＰメッセージに関する送信処理を完了する。
【００３４】
送信メッセージ制御部１４は、上記の確認信号の受信する前に、確認信号待ちタイマ１３からメッセージ番号を受けると（タイマがタイムアウト）、先に伝送路側の対向装置に送信したフルメッセージが損失している可能性が高いので、そのフルメッセージに含まれているＳＩＰメッセージのメッセージ番号とフルメッセージの再送指令を識別情報付加部１５に出力するとともに、そのメッセージ番号を確認信号待ちタイマ１３に出力して、このメッセージ番号に対するタイマの再起動を指示する。
識別情報付加部１５は、送信メッセージ制御部１４からメッセージ番号とフルメッセージの再送指令を受けると、伝送路側出力端子３を介して、そのメッセージ番号が付加されているフルメッセージを伝送路側の対向装置に再送する。
確認信号待ちタイマ１３は、送信メッセージ制御部１４からＳＩＰメッセージのメッセージ番号と再起動指令を受けると、そのメッセージ番号に対するタイマを再起動する。
【００３５】
送信メッセージ制御部１４は、上記の確認信号を受信したとき、管理テーブルの再送待ちメッセージ数が“Ｎ”である場合（Ｎは０を除く、正の整数）、Ｎ回、ＳＩＰメッセージのメッセージ番号と簡略メッセージの送信指令を識別情報付加部１５に出力する。
識別情報付加部１５は、Ｎ回、送信メッセージ制御部１４からメッセージ番号と簡略メッセージの送信指令を受けると、伝送路側出力端子３を介して、そのメッセージ番号のみからなる簡略メッセージをＮ回伝送路側の対向装置に送信する。
送信メッセージ制御部１４は、識別情報付加部１５から簡略メッセージが送信される毎に、管理テーブルの再送待ちメッセージ数を１減算し、識別情報付加部１５から簡略メッセージがＮ回送信されることにより、管理テーブルの再送待ちメッセージ数が“０”になると、端末側入力端子１から入力されたＳＩＰメッセージに関する送信処理を完了する。
なお、送信メッセージ制御部１４は、詳細は後述するが、上記の確認信号を受信する前に、メッセージ比較部１２から再送メッセージが入力された旨の通知を受けると、管理テーブルの再送待ちメッセージ数を１加算する。
【００３６】
次に、過去に伝送路側に出力されたＳＩＰメッセージと同じメッセージ（再送メッセージ）が端末側入力端子１から入力される場合について説明する。
メッセージ比較部１２は、端末側入力端子１からＳＩＰメッセージが入力されると、そのＳＩＰメッセージが再送メッセージであるか否かを判定するために、そのＳＩＰメッセージと同一のＳＩＰメッセージを含むフルメッセージが送信メッセージバッファ１１に保存されているか否かを確認する。
ここでは、再送メッセージが端末側入力端子１から入力されているので、メッセージ比較部１２が端末側入力端子１から入力されたＳＩＰメッセージが再送メッセージであると判定する。
【００３７】
送信メッセージ制御部１４は、メッセージ比較部１２により同一のＳＩＰメッセージが保存されていることが確認された場合、即ち、メッセージ比較部１２が端末側入力端子１から入力されたＳＩＰメッセージが再送メッセージであると判定すると、管理テーブルを参照して、そのＳＩＰメッセージのメッセージ番号に対応する確認信号受信フラグが“０”であるか否かを確認する。
送信メッセージ制御部１４は、確認信号受信フラグが“０”でなければ、管理テーブルの再送待ちメッセージ数を１加算する。
一方、確認信号受信フラグが“１”であれば、そのメッセージ番号と簡略メッセージの送信指令を識別情報付加部１５に出力する。
識別情報付加部１５は、送信メッセージ制御部１４からメッセージ番号と簡略メッセージの送信指令を受けると、伝送路側出力端子３を介して、そのメッセージ番号のみからなる簡略メッセージを伝送路側の対向装置に送信する。
【００３８】
次に、伝送路側の対向装置からメッセージが送信される場合について説明する。
確認信号生成部１６は、伝送路側の対向装置から送信されたフルメッセージが伝送路側入力端子４から入力されると、そのフルメッセージを受信する。
確認信号生成部１６は、フルメッセージを受信すると、そのフルメッセージからメッセージ番号を抜き出して確認信号を生成し（図２を参照）、伝送路側出力端子３を介して、その確認信号を伝送路側の対向装置に送信する。
【００３９】
また、受信メッセージバッファ１７は、伝送路側の対向装置から送信されたフルメッセージが伝送路側入力端子４から入力されると、そのフルメッセージを蓄積する。
受信データ選択部１８は、伝送路側入力端子４から入力されたメッセージがフルメッセージであれば、そのフルメッセージを識別情報削除部１９に出力する。
受信データ選択部１８は、伝送路側入力端子４から入力されたメッセージが簡略メッセージであれば、受信メッセージバッファ１７に蓄積されているフルメッセージの中から、その簡略メッセージを構成しているメッセージ番号と同じメッセージ番号が付加されているフルメッセージを取り出し、そのフルメッセージを識別情報削除部１９に出力する。
識別情報削除部１９は、受信データ選択部１８からフルメッセージを受けると、そのフルメッセージに付加されているメッセージ番号を削除し、端末側出力端子２を介して、メッセージ番号削除後のメッセージを端末側のＳＩＰデバイスに出力する。
【００４０】
図４はこの発明の実施の形態１による信号伝送装置が伝送するＳＩＰメッセージを示すシーケンス図である。
図４では、左右の両端がＳＩＰデバイスであり、左側のＳＩＰデバイスＡが右側のＳＩＰデバイスＢに対して、ＳＩＰメッセージの一種であるＩＮＶＩＴＥメッセージを送信するシーケンスを示している。
本来、ＳＩＰデバイスＢがＩＮＶＩＴＥメッセージを受信すると、そのＩＮＶＩＴＥメッセージに対する暫定応答として、例えば、「１００  Ｔｒｙｉｎｇ」の応答メッセージをＳＩＰデバイスＡに送信し、ＳＩＰデバイスＡが「１００  Ｔｒｙｉｎｇ」の応答メッセージを受信すると、その時点で、ＩＮＶＩＴＥメッセージの再送を停止する。
しかし、図４では、メッセージの再送動作を説明する便宜上、ＳＩＰデバイスＢから応答メッセージが送信されていない例を示している（例えば、ＳＩＰデバイスＢの反応が遅い場合には、このようなシーケンスとなる）。
また、図４では、信号伝送装置Ａ，Ｂ間の伝送遅延が片道０．５秒であるものとし、確認信号待ちタイマ１３のタイムアウト時間が１．２秒に設定してあるものとする。なお、このタイムアウト時間には、信号伝送装置間の往復伝送遅延よりも、やや大きい数値を設定している。
【００４１】
ＳＩＰデバイスＡからは、０．５秒、１秒、２秒、４秒、８秒、１６秒のように、再送する毎に間隔を倍にしながら、最大３２秒間再送が行われる。
図４では、最初のＩＮＶＩＴＥ送信（図中、（１）を参照）から、４回目の再送（図中、（５）を参照）までを示している。
信号伝送装置Ａは、ＳＩＰデバイスＡから最初のＩＮＶＩＴＥメッセージが入力されると、ＩＮＶＩＴＥメッセージからフルメッセージを生成し、そのフルメッセージを信号伝送装置Ｂに伝送する。
信号伝送装置Ｂは、信号伝送装置Ａから送信されたフルメッセージを受信すると、そのフルメッセージから識別情報を削除して、元のＳＩＰメッセージであるＩＮＶＩＴＥメッセージを復元し、そのＩＮＶＩＴＥメッセージをＳＩＰデバイスＢに出力する。
同時に、信号伝送装置Ｂは、そのＩＮＶＩＴＥメッセージに対応する確認信号を信号伝送装置Ａに送信する。
【００４２】
次に、信号伝送装置Ａは、ＳＩＰデバイスＡから１回目の再送メッセージ（図中、（２）を参照）を入力するが、送信メッセージ制御部１４が管理している管理テーブルにおいて、このメッセージに対応する確認信号受信フラグが“０”であるため、再送メッセージが伝送路側に出力されない。
ただし、管理テーブルの内容が更新され、このメッセージに対応する管理テーブルの再送待ちメッセージ数が１加算される。
【００４３】
次に、信号伝送装置Ａは、信号伝送装置Ｂから（１）のフルメッセージに対応する確認信号を受信すると、そのフルメッセージに対応する管理テーブルの確認信号受信フラグを“１”に設定して、このメッセージに対応する管理テーブルの再送待ちメッセージ数分の簡易メッセージを信号伝送装置Ｂに送信する。即ち、（２）の簡易メッセージを信号伝送装置Ｂに送信する。
これ以降、ＳＩＰデバイスＡから出力される再送メッセージは、信号伝送装置Ａにおいて、このメッセージに対応する管理テーブルの確認信号受信フラグが“１”になっているため、直ちに、簡易メッセージとして信号伝送装置Ｂに伝送される。
信号伝送装置Ｂでは、簡易メッセージを受信すると、既にフルメッセージを受信して蓄積しているため、その簡易メッセージに対応するフルメッセージを特定し、そのフルメッセージからＳＩＰメッセージを取り出して、そのＳＩＰメッセージをＳＩＰデバイスＢに出力する。
【００４４】
図５もこの発明の実施の形態１による信号伝送装置が伝送するＳＩＰメッセージを示すシーケンス図である。
ただし、図５では、伝送路上で最初のフルメッセージが損失している例を示している。
信号伝送装置Ａは、ＳＩＰデバイスＡから最初のＩＮＶＩＴＥメッセージが入力されると、そのＩＮＶＩＴＥメッセージからフルメッセージを生成し、そのフルメッセージを信号伝送装置Ｂに伝送する（図中、（１）を参照）。
しかし、このＩＮＶＩＴＥメッセージは、伝送路上で損失している。
【００４５】
次に、信号伝送装置Ａは、ＳＩＰデバイスＡから１回目の再送メッセージ（図中、（２）を参照）を入力すると、送信メッセージ制御部１４が管理している管理テーブルにおいて、このメッセージに対応する確認信号受信フラグが“０”であるため、再送メッセージが伝送路側に出力されない。
ただし、管理テーブルの内容が更新され、このメッセージに対応する管理テーブルの再送待ちメッセージ数が１加算される。
【００４６】
信号伝送装置Ａにおいて、最初のフルメッセージ（図中、（１）を参照）を送信してから１．２秒後に、このフルメッセージに対応するタイマがタイムアウトし、このフルメッセージに対応する管理テーブルの再送待ちメッセージ数が“１”であるため、このフルメッセージが１回伝送される（図中、（２）を参照）。このとき、この管理テーブルの再送待ちメッセージ数が１減算されて“０”になる。
信号伝送装置Ｂは、信号伝送装置Ａから送信されたフルメッセージを受信すると、そのフルメッセージから識別情報を削除して、元のＳＩＰメッセージであるＩＮＶＩＴＥメッセージを復元し、そのＩＮＶＩＴＥメッセージをＳＩＰデバイスＢに出力する。
【００４７】
次に、信号伝送装置Ａは、ＳＩＰデバイスＡから２回目の再送メッセージ（図中、（３）を参照）を入力すると、この場合も、送信メッセージ制御部１４が管理している管理テーブルにおいて、このメッセージに対応する確認信号受信フラグが“０”であるため、再送メッセージが伝送路側に出力されない。
ただし、管理テーブルの内容が更新され、このメッセージに対応する管理テーブルの再送待ちメッセージ数が１加算される。
【００４８】
次に、信号伝送装置Ａは、信号伝送装置Ｂから（２）のフルメッセージに対応する確認信号を受信すると、そのフルメッセージに対応する管理テーブルの確認信号受信フラグを“１”に設定して、このメッセージに対応する管理テーブルの再送待ちメッセージ数分の簡易メッセージを信号伝送装置Ｂに送信する。即ち、（３）の簡易メッセージを信号伝送装置Ｂに送信する。
これ以降、ＳＩＰデバイスＡから出力される再送メッセージは、信号伝送装置Ａにおいて、このメッセージに対応する管理テーブルの確認信号受信フラグが“１”になっているため、直ちに、簡易メッセージとして信号伝送装置Ｂに伝送される。
信号伝送装置Ｂでは、簡易メッセージを受信すると、既にフルメッセージを受信して蓄積しているため、その簡易メッセージに対応するフルメッセージを特定し、そのフルメッセージからＳＩＰメッセージを取り出して、そのＳＩＰメッセージをＳＩＰデバイスＢに出力する。
なお、詳細は省略するが、伝送路上でのフルメッセージが２回損失した場合のシーケンスは図６に示す通りとなる。
【００４９】
以上で明らかなように、この実施の形態１によれば、端末側からＳＩＰメッセージを受けると、そのＳＩＰメッセージと同一のＳＩＰメッセージが送信メッセージバッファ１１に保存されているか否かを確認するメッセージ比較部１２を設け、メッセージ比較部１２により同一のＳＩＰメッセージが保存されていることが確認されない場合、または、そのＳＩＰメッセージに対応する確認信号を受信していない場合、そのＳＩＰメッセージにメッセージ番号を付加してフルメッセージを生成して、そのフルメッセージを伝送路側に出力し、メッセージ比較部１２により同一のＳＩＰメッセージが保存されていることが確認され、そのＳＩＰメッセージに対応する確認信号を受信していれば、そのＳＩＰメッセージのメッセージ番号のみからなる簡略メッセージを伝送路側に出力するように構成したので、ＳＩＰネットワークの運用方法によって設定を変えることなく、ＳＩＰメッセージの伝送容量を低減することができる効果を奏する。
【００５０】
即ち、この実施の形態１によれば、ＳＩＰメッセージにメッセージ番号を付加しているフルメッセージが伝送路側の対向装置に到達したことの確認が取れれば、それ以降の再送メッセージを簡略メッセージとして伝送するが、フルメッセージは、元のＳＩＰメッセージと比べて１６ビット分のデータ量が増大したのみであり、また、簡略メッセージは、１６ビットのみのメッセージであるため、ＳＩＰメッセージの伝送容量を低減することができる。
また、他のネットワーク・エンティティからの情報によって、ＳＩＰメッセージの情報を再生する方式を採っていないため、ＳＩＰネットワークの運用方法によって設定を変えることなく、ＳＩＰメッセージの伝送容量を低減することができる。
【００５１】
実施の形態２．
上記実施の形態１では、メッセージ比較部１２が、端末側入力端子１から入力されたＳＩＰメッセージが再送メッセージであるか否かを判定する際、端末側入力端子１から入力されたＳＩＰメッセージと送信メッセージバッファ１１に保存されているＳＩＰメッセージとを文字単位に比較して、全ての文字が一致するＳＩＰメッセージが保存されていれば、端末側入力端子１から入力されたＳＩＰメッセージが再送メッセージであると判定するものについて示したが、ＳＩＰメッセージの一部のみを比較するようにしてもよい。
【００５２】
即ち、ＳＩＰメッセージは、先頭行、Ｃａｌｌ−ＩＤヘッダ及びＣｓｅｑヘッダの組み合わせが異なれば、異なるメッセージである。
そのため、メッセージ比較部１２は、ＳＩＰメッセージの先頭行、Ｃａｌｌ−ＩＤヘッダ及びＣｓｅｑヘッダの内容を比較して、これらの全てが一致したとき、そのＳＩＰメッセージが再送メッセージであると判定するようにする。
この実施の形態２によれば、ＳＩＰメッセージの比較部分を先頭行、Ｃａｌｌ−ＩＤヘッダ及びＣｓｅｑヘッダに限定しているので、端末側入力端子１から入力されたＳＩＰメッセージが再送メッセージであるか否かを速やかに判定することができる効果を奏する。
【００５３】
実施の形態３．
図７はこの発明の実施の形態３による信号伝送装置を示す構成図であり、図において、図１と同一符号は同一または相当部分を示すので説明を省略する。
メッセージ分割部２０は端末側から出力されたＳＩＰメッセージが端末側入力端子１から入力されると、そのＳＩＰメッセージを分割して、分割後のＳＩＰメッセージをメッセージ比較部１２及び識別情報付加部１５に出力する。なお、メッセージ分割部２０はメッセージ分割手段を構成している。
メッセージ組立部２１は識別情報削除部１９から出力された分割後のＳＩＰメッセージを組み合わせて、分割前のＳＩＰメッセージを復元する。なお、メッセージ組立部２１はメッセージ組立手段を構成している。
【００５４】
図８は伝送路側に送信する分割メッセージ及び簡略メッセージ等を示す説明図である。
図８では、メッセージを最大４分割して伝送することを想定している。
フルメッセージの識別情報は、入力されたＳＩＰメッセージ毎に固有に付与するメッセージ番号と、分割メッセージの何番目であるかを示すビット（図中、Ｂ，Ｃのビット）と、分割メッセージの最終であることを示すビット（図中、Ａのビット）と、メッセージであるのか確認信号であるのかを識別するビット（図中、ＭＳＢであり、“０”固定）とから構成されている。
また、簡略メッセージは、フルメッセージからＳＩＰメッセージが取り除かれたものである。ただし、簡略メッセージは、分割前のＳＩＰメッセージの再送１回につき、１回伝送するものであるため、Ｂ，Ｃビットに相当する分割に関するビットは“０”に固定となっている。
確認信号は、分割されたメッセージ毎に生成される。したがって、メッセージ番号と、どの分割メッセージに対する確認信号であるかを示すビット（図中、Ｂ，Ｃのビット）からなされている。
【００５５】
図９は送信メッセージ制御部１４により生成された管理テーブルを示す説明図であり、メッセージ番号と再送待ちメッセージ数は、図１の信号伝送装置における管理テーブルと同様であるが、メッセージ分割数が追加されている。また、確認信号受信フラグが分割メッセージに対応するために４個用意されている。
【００５６】
図１０はこの発明の実施の形態３による信号伝送装置が伝送するＳＩＰメッセージを示すシーケンス図である。
図１０では、ＳＩＰメッセージを３分割して伝送する場合の例を示している。
図１０においても、再送動作を含むシーケンスを示すため、ＳＩＰデバイスＢからの応答メッセージが出力されていない例を示している。また、信号伝送装置Ａ，Ｂ間の伝送遅延が片道０．５秒であるものとし、確認信号待ちタイマ１３のタイマ満了時間が１．５秒に設定してあるものとする。
端末側のＳＩＰデバイスＡから出力されたＳＩＰメッセージは、信号伝送装置Ａのメッセージ分割部２０によって３分割され、３個のフルメッセージ（図中、（１）分割メッセージ１、（１）分割メッセージ２、（１）分割メッセージ３）が信号伝送装置Ｂに伝送される。
【００５７】
信号伝送装置Ｂは、３個のフルメッセージ（図中、（１）分割メッセージ１、（１）分割メッセージ２、（１）分割メッセージ３）を受信すると、３個のフルメッセージに対する確認信号（図中、確認信号１、確認信号２、確認信号３）を信号伝送装置Ａに送信する。
信号伝送装置Ａは、３個のフルメッセージに対する確認信号（図中、確認信号１、確認信号２、確認信号３）を受信すると、その後は、簡略メッセージを信号伝送装置Ｂに送信する（図中、（２）〜（５）を参照）。
簡略メッセージは、ＳＩＰデバイスＡから入力される再送メッセージ１個につき１個伝送される。
逆に、信号伝送装置Ａが信号伝送装置Ｂから分割された３個のフルメッセージを受信した場合、信号伝送装置Ａのメッセージ組立部２１が３個のフルメッセージを組み合わせて、分割前のＳＩＰメッセージを復元し、端末側出力端子２を介して、そのＳＩＰメッセージをＳＩＰデバイスＡに出力する。
【００５８】
図１１もこの発明の実施の形態３による信号伝送装置が伝送するＳＩＰメッセージを示すシーケンス図である。
ただし、図１１では、分割されたメッセージの１個が伝送路上で損失した場合のシーケンスを示している。
図１１では、フルメッセージの１個（図中、（１）分割メッセージ１）が損失しているため、ＳＩＰデバイスＡからの再送メッセージ（図中、（２）を参照）に対応して分割メッセージ１のみが再送されている。
それ以降は、簡略メッセージが伝送される。このように、メッセージの再送が発生する場合、メッセージを分割することによって、再送データ量を低減することが可能となる。
【００５９】
実施の形態４．
上記実施の形態１〜３では、信号伝送装置がＳＩＰメッセージを圧縮することなく送信するものについて示したが、端末側入力端子１から入力されたＳＩＰメッセージを圧縮して、圧縮後のＳＩＰメッセージをメッセージ比較部１２及び識別情報付加部１５に出力するメッセージ圧縮手段と、識別情報削除部１９から出力された圧縮後のＳＩＰメッセージを伸張して圧縮前のＳＩＰメッセージを復元し、そのＳＩＰメッセージを端末側に出力するメッセージ伸張手段とを設けるようにしてもよい。
ＳＩＰメッセージを圧縮する例としては、ＳＩＰメッセージで規定されているヘッダやリクエスト名など、固有の文字列を１文字に縮退するなどの方法が考えられる。
この実施の形態４によれば、送信データ量を低減して、無線帯域の有効利用を図ることができる効果を奏する。
【図面の簡単な説明】
【００６０】
【図１】この発明の実施の形態１による信号伝送装置を示す構成図である。
【図２】この発明の実施の形態１による信号伝送装置により伝送される独自のメッセージ・フォーマットを示す説明図である。
【図３】送信メッセージ制御部１４により生成された管理テーブルを示す説明図である。
【図４】この発明の実施の形態１による信号伝送装置が伝送するＳＩＰメッセージを示すシーケンス図である。
【図５】この発明の実施の形態１による信号伝送装置が伝送するＳＩＰメッセージを示すシーケンス図である。
【図６】この発明の実施の形態１による信号伝送装置が伝送するＳＩＰメッセージを示すシーケンス図である。
【図７】この発明の実施の形態３による信号伝送装置を示す構成図である。
【図８】伝送路側に送信する分割メッセージ及び簡略メッセージ等を示す説明図である。
【図９】送信メッセージ制御部１４により生成された管理テーブルを示す説明図である。
【図１０】この発明の実施の形態３による信号伝送装置が伝送するＳＩＰメッセージを示すシーケンス図である。
【図１１】この発明の実施の形態３による信号伝送装置が伝送するＳＩＰメッセージを示すシーケンス図である。
【図１２】ＳＩＰデバイス間のＳＩＰメッセージの通信シーケンス例を示す説明図である。
【図１３】「ＩＮＶＩＴＥ」のＳＩＰメッセージの一例を示す説明図である。
【図１４】ＳＩＰメッセージの伝送遅延によって「ＩＮＶＩＴＥ」の再送が１回発生している例を示す説明図である。
【図１５】伝送路上でパケット損失が発生し、「ＩＮＶＩＴＥ」が再送される場合の一例を示す説明図である。
【符号の説明】
【００６１】
１  端末側入力端子、２  端末側出力端子、３  伝送路側出力端子、４  伝送路側入力端子、１１  送信メッセージバッファ（メッセージ保存手段）、１２  メッセージ比較部（メッセージ確認手段）、１３  確認信号待ちタイマ（メッセージ送信手段）、１４  送信メッセージ制御部（確認信号受信手段、メッセージ送信手段）、１５  識別情報付加部（メッセージ送信手段）、１６  確認信号生成部（確認信号送信手段）、１７  受信メッセージバッファ（メッセージ受信手段）、１８  受信データ選択部（メッセージ受信手段）、１９  識別情報削除部（識別情報削除手段）、２０  メッセージ分割部（メッセージ分割手段）、２１  メッセージ組立部（メッセージ組立手段）。
【図１】
2007282038.tif 000003
【図２】
2007282038.tif 000004
【図３】
2007282038.tif 000005
【図４】
2007282038.tif 000006
【図５】
2007282038.tif 000007
【図６】
2007282038.tif 000008
【図７】
2007282038.tif 000009
【図８】
2007282038.tif 000010
【図９】
2007282038.tif 000011
【図１０】
2007282038.tif 000012
【図１１】
2007282038.tif 000013
【図１２】
2007282038.tif 000014
【図１３】
2007282038.tif 000015
【図１４】
2007282038.tif 000016
【図１５】
2007282038.tif 000017